(57)【要約】【課題】水圧の管理や十分な止水能力が確保できる仮締切作業函およびその設置方法を提供することである。【解決手段】一対の組立ユニット２が向かい合った状態で接合されて平面環状に形成された上部開放型の仮締切作業函１において、前記組立ユニット２の底部９には嵌合凹部１０が形成され、該嵌合凹部１０の前面は上部が内側に傾斜した傾斜面１１であり、該傾斜面１１には、該傾斜面１１に沿って上下動する止水パッキン３が設置されてなる。【選択図】図３
2008175059.tif 000002
【特許請求の範囲】
【請求項１】
一対の組立ユニットが向かい合った状態で接合されて平面環状に形成された仮締切作業函において、前記組立ユニットの底部には嵌合凹部が形成され、該嵌合凹部の前面は上部側が内側に傾斜した傾斜面であり、該傾斜面には、該傾斜面に沿って上下動する止水パッキンが設置されたことを特徴とする仮締切作業函。
【請求項２】
止水パッキンは硬質ゴムであり、後面側は上部側が内側に傾斜した傾斜面であることを特徴とする請求項ｌに記載の仮締切作業函。
【請求項３】
止水パッキンは吊上手段によって上下動することを特徴とする請求項ｌまたは２に記載の仮締切作業函。
【請求項４】
止水パッキンの前面側には発泡ゴムが設置されたことを特徴とする請求項ｌ〜３のいずれかに記載の仮締切作業函。
【請求項５】
組立ユニットの内面下部にはストッパーが突設され、該ストッパーは仮締切作業函が作業対象物との間に適宜間隙部をもつように所定高さに設置するものであることを特徴とする請求項１〜４のいずれかに記載の仮締切作業函。
【請求項６】
請求項１〜５のいずれかの仮締切作業函で水中の作業対象物を囲むとともに、仮締切作業函を沈下させて、嵌合凹部の前面と作業対象物との間に適宜間隙部をもつように固定した後、止水パッキンを傾斜面に沿って引き上げて前記間隙部に嵌合した後、仮締切作業函の内側の水を排水して止水パッキンに下側から水圧を作用させることを特徴とする仮締切作業函の設置方法。
【発明の詳細な説明】
【技術分野】
【０００１】
本願発明は水中に構築した橋脚の補修などを陸上と同じドライな作業空間で行う際に使用する仮締切作業函およびその設置方法に関するものである。
【背景技術】
【０００２】
近年、河川などの水中に構築された橋脚などの保守、点検、補修および補強などが急務となっている。これらの作業は、図９の（１）および（２）に示すように、橋脚３２を囲むようにして仮締切作業函３３を設置した後、この仮締切作業函３３の内側の水を排出して陸上と同じドライな作業空間３４を形成して行っていた。このような作業空間３４を形成するための仮締切作業函３３と橋脚３２との止水は、図９の（３）に示すように、止水チューブ３５を仮締切作業函３３と橋脚３２との間に設置して行っていた。また、その他の仮締切作業函としては、特開２００６−２４９６８５号公報の発明がある。
【特許文献１】特開２００６−２４９６８５号公報
【発明の開示】
【発明が解決しようとする課題】
【０００３】
しかし、上記の仮締切作業函は水圧による止水チューブの押付けで止水を行っていたため、常時、水圧の管理が必要となり、しかも水深が深い場合には十分な止水能力が確保できないという問題点があった。
【０００４】
本願発明は上記のような間題に鑑みてなされたものであり、その目的は、水圧の管理や十分な止水能力が確保できる仮締切作業函およびその設置方法を提供することである。
【課題を解決するための手段】
【０００５】
以上の課題を解決するための仮締切作業函は、一対の組立ユニットが向かい合った状態で接合されて平面環状に形成された仮締切作業函において、前記組立ユニットの底部には嵌合凹部が形成され、該嵌合凹部の前面は上部側が内側に傾斜した傾斜面であり、該傾斜面には、該傾斜面に沿って上下動する止水パッキンが設置されたことを特徴とする。また止水パッキンは硬質ゴムであり、後面側は上部側が内側に傾斜した傾斜面であることを含む。また止水パッキンは吊上手段によって上下動することを含む。また止水パッキンの前面側には発泡ゴムが設置されたことを含む。また組立ユニットの内面下部にはストッパーが突設され、該ストッパーは仮締切作業函が作業対象物との間に適宜間隙部をもつように所定高さに設置するものであることを含む。
また仮締切作業函の設置方法は、一対の組立ユニットが向かい合った状態で接合されて平面環状に形成され、前記組立ユニットの底部には半円形の嵌合凹部が形成され、該嵌合凹部の前面は上部側が内側に傾斜した傾斜面であり、該傾斜面には、該傾斜面に沿って上下動する止水パッキンが設置された仮締切作業函を形成し、該仮締切作業函で水中の作業対象物を囲むとともに、仮締切作業函を沈下させて、嵌合凹部の前面と作業対象物との間に適宜間隙部をもつように固定した後、止水パッキンを傾斜面に沿って引き上げて前記間隙部に嵌合した後、仮締切作業函の内側の水を排水して止水パッキンに下側から水圧を作用させることを特徴とする。また止水パッキンは硬質ゴムであり、後面側は上部側が内側に傾斜した傾斜面であることを含む。また止水パッキンは吊上手段によって上下動することを含む。また止水パッキンの前面側には発泡ゴムが設置されたことを含む。また組立ユニットの内面下部にはストッパーが突設され、該ストッパーは仮締切作業函が作業対象物との間に適宜間隙部をもつように所定高さに設置するものであることを含む。
【発明の効果】
【０００６】
組立ユニットの底部の嵌合凹部における傾斜面に設置された硬質ゴム製の止水パッキンにより、水圧管理を必要としない止水を行うことができる。また組立ユニットの内面下部にストッパーが突設されたことにより、仮締切作業函が作業対象物との間に適宜間隙部をもつように所定高さに設置することができる。また止水パッキンを傾斜面に沿って引き上げてフーチングとの間隙部に嵌合した後、仮締切作業函の内側の水を排水すると、止水パッキンに下側から水圧が作用するので止水能力が向上する。
【発明を実施するための最良の形態】
【０００７】
以下、本願発明の仮締切作業函およびその設置方法の実施の形態を図面に基づいて詳細に説明する。はじめに仮締切作業函について説明し、その後に仮締切作業函の設置方法について説明するが、各実施の形態において同じ構成は同じ符号を付して説明し、異なった構成にのみ異なった符号を付して説明する。この仮締切作業函は水中に構築された作業対象物、例えば橋脚などを囲むとともに、底部を作業対象物に嵌合して止水した後、内側の水を排水して、陸上と同じ作業空間を形成するものである。
【０００８】
図１〜図３は仮締切作業函１の実施の形態を示したものである。この仮締切作業函１は、平面コ字形の組立ユニット２が向かい合って接合されて、上部が開放された平面矩形の環状体を構成するものである。
【０００９】
この組立ユニット２は背面部３と、該背面部３の両側に突出した突出部４とからなる平面コ字形の中空ユニット５と下部ユニット６とが上下に接合されて構成されている。これらの各ユニット５、６にはフロートタンク（図示せず）が設置され、このフロートタンクにバラスト水を注排水する注排水口（図示せず）が設けられている。
【００１０】
また各ユニット５、６の上下の接合面および突出部４の接合面には止水用のパッキン７が設置され、組立ユニット２が接合ボルト８などで接合されて仮締切作業函１を形成した際に、その内部に水を侵入させないようにしている。
【００１１】
この組立ユニット２の下部ユニット６には中空の底部９が設けられ、この底部９には橋脚のフーチングに嵌合される半円形の嵌合凹部１０が形成され、該嵌合凹部１０の前面が上に向かって漸次内側に傾斜した傾斜面１１となっている。なお底部９は中空でなくても良く、また嵌合凹部１０は半円形に限らず、平面方形または矩形であっても良い。
【００１２】
この傾斜面１１の下部に設置された底板１２には、図２の（２）に示すように、軟質材１３ａを介して硬質ゴム体１３ｂが接続されてなる止水パッキン１３が半円形の嵌合凹部１０に沿って設置されている。また止水パッキン１３の背面側が前記傾斜面１１と同様に上部が内側に傾斜した傾斜面１４となり、前面側に発泡ゴム１５が設置されている。また止水パッキン１３の下面には水圧の作用を受けるための凹溝１６が形成されている。この止水パッキン１３は組立ユニット２ごとに半円形に形成されているため、この組立ユニット２が向かい合わされて接合されると平面円形のリング状になり、延長方向の変形に対応する。なお、嵌合凹部１０が平面矩形に形成されると、図２の（３）に示すように、止水パッキンも矩形になる。また止水パッキン１３の前面側には発泡ゴム１５を設置しなくてもよい。
【００１３】
また止水パッキン１３に適宜間隔をもって設置された吊上金具１７には吊上手段である吊上ワイヤー１８が接続され、この吊上ワイヤー１８を引き上げることによって、止水パッキン１３が前記傾斜面１１に沿って上昇する。また底板１２の先端には、パッキンの横移動を防ぎかつ幅止め設置時のクリアランスを取るための幅止め１９が立設されている。
【００１４】
なお、止水パッキン１３は硬質ゴム以外でも形成することができ、かつ吊上ワイヤー１８以外の手段によっても上下動が行える。
【００１５】
また組立ユニット２の内面における底部９の上側には、内側に延びたストッパー２０が組立ユニット２の対向面、すなわち組立ユニット２の内面中央部と、接合部の近くに突設されている。このストッパー２０は組立ユニット２が一定以上沈下しないように作業対象物に設置するものであり、嵌合凹部１０の前面と作業対象物との間に適宜間隙部、すなわち止水パッキン１３を嵌合する間隙部が形成できるように、フーチング上面に設置される。
【００１６】
次に、上記の仮締切作業函の設置方法を図４〜図８に基づいて説明する。この仮締切作業函１を設置する作業対象物としては水中に構築された橋脚２１であり、フーチング２２が平面円形のものである。
【００１７】
はじめに、陸上において複数の中空ユニット５と下部ユニット６とを上下で接合した二機の組立ユニット２を組み立て形成する。そして、これらの組立ユニット２を一機ずつ台船２３に載せて現場に運搬する。
【００１８】
次に、この組立ユニット２をクレーン２４で吊り上げて台船２３から水中２５に降ろして浮かせた後、凹部側を向かい合わせて橋脚２１を挟むようにする。そして、組立ユニットの突出部４同士を突き合わせて接合ボルト８で接合すると、図４に示すような、上部が開放された平面方形（または矩形）の仮締切作業函１が橋脚２１を囲むように形成され、その接合部が止水用のパッキン７で止水される。
【００１９】
次に、各組立ユニット２におけるフロートタンクに注排水口からバラスト水を注入して仮締切作業函１を沈下させる。この仮締切作業函１を沈下させると、図５に示すように、各組立ユニット２の内面に突設したストッパー２０がフーチング２２の上面に設置されて沈下が止まり、底部９の嵌合凹部１０とフーチング２２との間の全周にわたって間隙部２６が形成される。この間隙部２６は傾斜面１１により上側に向かって狭くなるように形成され、ここに止水パッキン１３が嵌合される。この間隙部２６の間隔は全周にわたって均等になるように、橋脚２１との間に架設した切梁２７によって調整される。
【００２０】
次に、図６に示すように、潜水士によって吊上ワイヤー１８を引き上げると、止水パッキン１３が傾斜面１１に沿って上昇して間隙部２６に嵌合される。そして、この止水パッキン１３の前面側に設置された発泡ゴム１５が、フーチング２２の側面の不陸に追随して変形するため、間隙部２６が塞がれる。
【００２１】
次に、図７に示すように、台船２３上のクレーン２４および潜水士によって、仮締切作業函１と橋脚２１との間にわたって切梁２７を架設するとともに、浮き上がり防止装置２８を設置して仮締切作業函１を固定する。
【００２２】
次に、図８に示すように、仮締切作業函１の内側の水２９を排水してドライな作業空間３０を形成すると、フーチング２２と傾斜面１１との間隙部２６に嵌合された止水パッキン１３に下側から水圧が作用して、この止水パッキン１３を上側に押し付けるが、間隙部２６が上側に向かって狭くなっているため、止水パッキン１３の嵌合が強固になって止水能力が向上する。
【図面の簡単な説明】
【００２３】
【図１】（１）は仮締切作業函の断面図、（２）は同正面図である。
【図２】（１）は仮締切作業函の要部の断面図、（２）および（３）は止水パッキンの          平面図である。
【図３】底部および止水パッキンの断面図である。
【図４】（１）は仮締切作業函を橋脚に設置する平面図、（２）は同正面図である。
【図５】仮締切作業函を橋脚に設置した要部の断面図である。
【図６】止水パッキンを間隙部に嵌合した断面図である。
【図７】仮締切作業函を橋脚に固定した平面図である。
【図８】（１）は仮締切作業函の内部の水を排水した断面図、（２）は同要部の断面図である。
【図９】（１）は従来の仮締切作業函の縦方向の断面図、（２）は同横方向の断面図、（３）は止水チューブの断面図である。
【符号の説明】
【００２４】
１、３３  仮締切作業函
２  組立ユニット
３  背面部
４  突出部
５  中空ユニット
６  下部ユニット
７  パッキン
８  接合ボルト
９  底部
１０  嵌合凹部
１１、１４  傾斜面
１２  底板
１３  止水パッキン
１５  発泡ゴム
１６  凹溝
１７  吊上金具
１８  吊上ワイヤー
１９  幅止め
２０  ストッパー
２１、３２  橋脚
２２  フーチング
２３  台船
２４  クレーン
２５  水中
２６  間隙部
２７  切梁
２８  浮き上がり防止装置
２９  仮締切作業函の内側の水
３０、３４  作業空間
３５  止水チューブ
【図１】
2008175059.tif 000003
【図２】
2008175059.tif 000004
【図３】
2008175059.tif 000005
【図４】
2008175059.tif 000006
【図５】
2008175059.tif 000007
【図６】
2008175059.tif 000008
【図７】
2008175059.tif 000009
【図８】
2008175059.tif 000010
【図９】
2008175059.tif 000011